(57)【特許請求の範囲】
【請求項１】
ダンパーペダルの操作に連動してすべての弦を解放することにより、ダンパーペダル効果を付与するグランドピアノのダンパーであって、
ダンパーレールと、
後端部が前記ダンパーレールに回動自在に取り付けられ、前後方向に延びるとともに、上方への回動により対応する前記弦を解放する複数のダンパーレバーと、
前記ダンパーレールの長さ方向に間隔を隔てて配置され、当該ダンパーレールに前方からのねじでねじ止めされた複数のリフティングレバーフレンジと、
これら複数のリフティングレバーフレンジにそれぞれ回動自在に取り付けられた複数のリフティングレバーと、
前記複数のダンパーレバーの下方に配置されるとともに、前記複数のリフティングレバーに連結され、前記ダンパーペダルの操作に伴って突き上げられることにより、前記リフティングレバーフレンジを中心として回動し、前記複数のダンパーレバーを同時に突き上げ、上方に回動させるリフティングレールと、を備え、
前記複数のリフティングレバーにそれぞれ、前記ドライバーを前方から通し、前記ねじへアクセス可能にするドライバー挿入孔が、前後方向に貫通して形成されていることを特徴とするグランドピアノのダンパー。
【請求項２】
ダンパーペダルの操作に連動してすべての弦を解放することにより、ダンパーペダル効果を付与するグランドピアノのダンパーであって、
ダンパーレールと、
後端部が前記ダンパーレールに回動自在に取り付けられ、前後方向に延びるとともに、上方への回動により対応する前記弦を解放する複数のダンパーレバーと、
前記ダンパーレールの長さ方向に間隔を隔てて配置され、当該ダンパーレールに前方からのねじでねじ止めされた複数のリフティングレバーフレンジと、
これら複数のリフティングレバーフレンジにそれぞれ回動自在に取り付けられた複数のリフティングレバーと、
前記複数のダンパーレバーの下方に配置されるとともに、前記複数のリフティングレバーに連結され、前記ダンパーペダルの操作に伴って突き上げられることにより、前記リフティングレバーフレンジを中心として回動し、前記複数のダンパーレバーを同時に突き上げ、上方に回動させるリフティングレールと、を備え、
前記複数のリフティングレバーがそれぞれ、前記リフティングレバーフレンジに回動自在に支持された第１レバー部と、この第１レバー部に、前記ドライバーにより前方から回転操作可能なねじでねじ止めされるとともに、前記リフティングレールに連結された第２レバー部と、を有していることを特徴とするグランドピアノのダンパー。
【発明の詳細な説明】
【０００１】
【発明の属する技術分野】
本発明は、ダンパーペダルなどの操作に連動して弦に離接することにより、弦の振動を許容および停止するグランドピアノのダンパーに関し、特にリフティングレバーの取付構造に関する。
【０００２】
【従来の技術】
図４は、グランドピアノの従来の一般的なダンパーを部分的に示している。このダンパー５１は、ダンパーレール２および複数のダンパーレバー３（１つのみ図示）を備えている。ダンパーレール２は、複数の鍵盤（図示せず）の後ろ側に、その並び方向に延びるように配置され、前方からのねじ４でダンパーレール介物５にねじ止めされている。ダンパーレバー３は、鍵盤ごとに設けられ、後端部が、ダンパーレール２にねじ止めされたダンパーレバーフレンジ６に、回動自在に支持されるとともに、前端部は、対応する鍵盤の後端部に上方から対向している。ダンパーレバー３には、ダンパーワイヤフレンジ７の下端部が回動自在に取り付けられ、このダンパーワイヤフレンジ７には、上方に延びるダンパーワイヤ８が、ワイヤフレンジソケットスクリュー８ａにより取り付けられている。さらに、ダンパーワイヤ８は、その途中の部分がガイドホルダに通され、上端部にはダンパーヘッドが設けられていて、このダンパーヘッドが、水平に張られた弦に上方から離接するようになっている（図１参照）。
【０００３】
ダンパー５１はさらに、リフティングレール１０を備えている。このリフティングレール１０は、複数のダンパーレバー３の下側にその並び方向に延び、これらに対向するように配置されている。また、リフティングレール１０は、上下方向に延びるリフティングレール突揚棒１１に載置されており、このリフティングレール突揚棒１１の下端部は、ダンパーペダル（図示せず）に連結されている。
【０００４】
さらに、リフティングレール１０は、複数のリフティングレバー５２を介して、リフティングレバーフレンジ１３（ともに一端部の１個のみ図示）に回動自在に支持されている。リフティングレバーフレンジ１３は、ダンパーレール２の長さ方向の複数の所定位置にそれぞれ配置され、前方からのねじ１４でダンパーレール２にねじ止めされている。各リフティングレバー５２は、例えば木製のブロック状のものであり、後端部がリフティングレバーフレンジ１１に回動自在に取り付けられるとともに、リフティングレール１０上に載置され、上方からのねじ５３によって、リフティングレール１０にねじ止めされている。
【０００５】
以上の構成により、ダンパーペダルが踏込み操作されると、リフティングレール１０が、リフティングレール突揚棒１１により突き上げられ、リフティングレバーフレンジ１３を中心として、リフティングレバー５２と一体に上方に回動する。これにより、すべてのダンパレバー３が上方に回動し、すべてのダンパーヘッドが弦から一斉に離れることによって、押鍵されていない弦が押鍵された弦に共鳴するダンパーペダル効果が得られる。
【０００６】
【発明が解決しようとする課題】
しかし、この従来のダンパー５１は、メンテナンスなどのために、リフティングレール１０、リフティングレバーフレンジ１３あるいはリフティングレバー５２を取り外す必要が生じた場合、これらの構成部品だけを単独で取り外すことができないため、メンテナンス作業を容易に行えないという問題がある。
【０００７】
例えば、リフティングレバーフレンジ１３が破損したために、これを取り外す場合を想定すると、この場合、リフティングレバーフレンジ１３をダンパーレール２から取り外すことは、これを固定しているねじ１４の前側に存在するリフティングレバー５２が邪魔になり、ドライバーをねじ１４にアクセスできないため、不可能である。また、まずねじ５３を緩めてリフティングレール１０を除去して、リフティングレバー５２をフリーにした後、ドライバーでねじ１４を回すことも考えられるが、実際はこれも不可能である。これは、ダンパー５１が鍵盤の奥側に配置されているために、その位置でドライバーを上方から回転操作することがもともと困難であることに加えて、中間部のリフティングレバー５２の場合には、両側にダンパーワイヤ８が近接して配置されており、また、両端部のリフティングレバー５２の場合には上側に中框が近接して配置されていることから、いずれの場合にも、ドライバーをねじ５３に到達させて、回転操作できるようなスペースがないためである。
【０００８】
その結果、このダンパー５１では、リフティングレバーフレンジ１３を取り外すのに、ダンパーレール２を固定しているねじ４を外して、ダンパー５１全体を取り外す必要があるとともに、ダンパー５１を前方に引き出すには、ダンパーワイヤ８がガイドホルダに通されていることから、各ワイヤフレンジソケットスクリュー８ａを緩めて、ダンパーワイヤ８をすべて取り外さなければならない。このため、ダンパーワイヤ８の取外し作業および再取付作業が非常に大がかりで煩雑になるとともに、再取付の際にダンパーワイヤ８の調整作業が必要になり、これらの作業に多大な時間を要してしまう。このようなメンテナンス上の煩雑さは、リフティングレール１０あるいはリフティングレバー５２の場合も、上記と同様にねじ４を外してダンパー５１全体を取り外す必要があることから、まったく同様に生じる。
【０００９】
本発明は、このような課題を解決するためになされたものであり、リフティングレバーフレンジ、リフティングレバーあるいはリフティングレールを、ダンパーの他の構成部品とは独立して取り外すことができ、それにより、これらのメンテナンス作業を大幅に簡略化することができるグランドピアノのダンパーを提供することを目的とする。
【００１０】
【課題を解決するための手段】
この目的を達成するため、請求項１に係る発明は、ダンパーペダルの操作に連動してすべての弦を解放することにより、ダンパーペダル効果を付与するグランドピアノのダンパーであって、ダンパーレールと、後端部がダンパーレールに回動自在に取り付けられ、前後方向に延びるとともに、上方への回動により対応する弦を解放する複数のダンパーレバーと、ダンパーレールの長さ方向に間隔を隔てて配置され、ダンパーレールに前方からのねじでねじ止めされた複数のリフティングレバーフレンジと、これら複数のリフティングレバーフレンジにそれぞれ回動自在に取り付けられた複数のリフティングレバーと、複数のダンパーレバーの下方に配置されるとともに、複数のリフティングレバーに連結され、ダンパーペダルの操作に伴って突き上げられることにより、リフティングレバーフレンジを中心として回動し、複数のダンパーレバーを同時に突き上げ、上方に回動させるリフティングレールと、を備え、複数のリフティングレバーにそれぞれ、ドライバーを前方から通し、ねじへアクセス可能にするドライバー挿入孔が、前後方向に貫通して形成されていることを特徴としている。
【００１１】
このグランドピアノのダンパーでは、リフティングレールは、複数のリフティングレバーを介して、複数のリフティングレバーフレンジに回動自在に支持されており、ダンパーペダルの操作に伴って突き上げられることにより、リフティングレバーフレンジを中心として、リフティングレバーと一体に上方に回動し、複数のダンパーレバーを同時に突き上げ、上方に回動させる。これにより、すべての弦が一斉に解放されることで、ダンパーペダル効果が付与される。
【００１２】
また、このダンパーでは、リフティングレバーに、リフティングレバーフレンジをダンパーレールにねじ止めしているねじへのアクセスを可能にするためのドライバー挿入孔が、前後方向に貫通して形成されており、このドライバー挿入孔を介して、ドライバーが前方からアクセスできるように構成されている。したがって、このねじを前方からのドライバーで緩めることにより、リフティングレバーフレンジを、リフティングレバーおよびリフティングレールとともに、ダンパーレールから取り外すことができる。この取外し後、必要であれば、リフティングレバーフレンジ、リフティングレバーおよびリフティングレールを相互にさらに分解する。以上のように、本発明のダンパーは、リフティングレバーフレンジなどを、ダンパーの他の構成部品とは独立して取り外すことができるので、従来と異なり、煩雑なダンパーワイヤの取外し、再取付および調整の作業が不要になることで、それらのメンテナンス作業を大幅に簡略化することができる。
【００１５】
また、前記目的を達成するため、請求項２に係る発明は、ダンパーペダルの操作に連動してすべての弦を解放することにより、ダンパーペダル効果を付与するグランドピアノのダンパーであって、ダンパーレールと、後端部がダンパーレールに回動自在に取り付けられ、前後方向に延びるとともに、上方への回動により対応する弦を解放する複数のダンパーレバーと、ダンパーレールの長さ方向に間隔を隔てて配置され、ダンパーレールに前方からのねじでねじ止めされた複数のリフティングレバーフレンジと、これら複数のリフティングレバーフレンジにそれぞれ回動自在に取り付けられた複数のリフティングレバーと、複数のダンパーレバーの下方に配置されるとともに、複数のリフティングレバーに連結され、ダンパーペダルの操作に伴って突き上げられることにより、リフティングレバーフレンジを中心として回動し、複数のダンパーレバーを同時に突き上げ、上方に回動させるリフティングレールと、を備え、複数のリフティングレバーがそれぞれ、リフティングレバーフレンジに回動自在に支持された第１レバー部と、この第１レバー部に、前記ドライバーにより前方から回転操作可能なねじでねじ止めされるとともに、リフティングレールに連結された第２レバー部と、を有していることを特徴とする。
【００１６】
本発明によれば、前述した請求項１に係る発明と同様の作用を得ることができる。具体的には、この構成では、リフティングレバーの第１および第２レバー部を相互に固定しているねじを、前方からのドライバーで緩めることによって、リフティングレールおよび第２レバー部を、第１レバー部との間で分離し、取り外すことができる。したがって、メンテナンスの対象がリフティングレバーの場合には、このような取外しだけでメンテナンスを行える。また、この状態では、リフティングレバーの第２レバー部が除去され、第１レバー部のみが残っていて、リフティングレバーフレンジの前側が大きく開放される。したがって、メンテナンスの対象がリフティングレバーフレンジの場合には、さらに、この大きく開放されたスペースを介して、ドライバーをリフティングレバーフレンジのねじに前方からアクセスし、これを緩めることによって、リフティングレバーフレンジを第１レバー部と一緒に取り外すことができる。
【００１７】
【発明の実施の形態】
以下、本発明の好ましい実施形態を、図面を参照しながら詳細に説明する。図１は、本発明の第１実施形態によるグランドピアノのダンパーを示している。なお、このダンパー１の構成要素のうち、図４に示した従来のダンパー５１と同じものについては、同一の参照符号を付して説明を行うものとする。
【００１８】
このダンパー１は、その基本的な構成は従来のダンパー５１と同様であり、ダンパーレール２、複数のダンパーレバー３（１つのみ図示）や、リフティングレール１０などを備えている。ダンパーレール２は、例えばアルミニウムの押出成形品で構成され、複数の鍵盤（図示せず）の後ろ側にその並び方向に延びるように配置されていて、前方からのねじ４でダンパーレール介物５にねじ止めされている。ダンパーレール２には、複数のダンパーフレンジ６（１つのみ図示）が、各鍵盤に対応して設けられ、前方からのねじ２１でそれぞれねじ止めされるとともに、複数のリフティングレバーフレンジ１３（１つのみ図示）が設けられ、前方からのねじ１４で同様にねじ止めされている。これらのリフティングレバーフレンジ１３は、例えばダンパーレール２の長さ方向の複数の所定位置、例えばその両端部の２個所と中間部の複数の個所にそれぞれ配置されている。
【００１９】
各ダンパーレバー３は、その後端部がダンパーレバーフレンジ６に回動自在に取り付けられ、前後方向に延びていて、前端部が、対応する鍵盤の後端部に上方から対向している。各ダンパーレバー３には、これに重さを付加するために、鉛などから成る重り２２が取り付けられている。また、ダンパーレバー３には、ダンパーワイヤフレンジ７の下端部が回動自在に取り付けられ、このダンパーワイヤフレンジ７に、上方に延びるダンパーワイヤ８が、ワイヤフレンジソケットスクリュー８ａにより取り付けられている。ダンパーワイヤ８は、これを水平方向にぶれないように案内するためのガイドホルダ２３に通されており、上端部にダンパーヘッド９が取り付けられている。このダンパーヘッド９は、木製のものであり、その下面に取り付けたダンパーフェルト２４を介して、水平に張られた弦Ｓに上方から離接するようになっている。
【００２０】
一方、リフティングレール１０は、上下方向に延びるリフティングレール突揚棒１１に載置されており、このリフティングレール突揚棒１１の下端部は、ダンパーペダル（図示せず）に連結されている。また、リフティングレール１０の上面には、これに沿ってリフティングレールクロス２５が貼られていて、このリフティングレールクロス２５に、ダンパーレバー３の下面にねじ込まれた調整用のパイロットスクリュー２６が、所定の間隔を存して上方から対向している。これまでに説明したダンパー１の構成は、従来のダンパー５１と同じである。
【００２１】
さらに、リフティングレール１０は、本発明に係る複数のリフティングレバー１２（１つのみ図示）を介して、前記リフティングレバーフレンジ１３に回動自在に連結されている。このリフティングレバー１２は、例えば、鋼板のプレス加工品などで形成されており、図２に示すように、フレンジ連結部１２ａと、その前端から鈍角をなして延びるレール連結部１２ｂで構成されている。そして、フレンジ連結部１２ａの後端部が、リフティングレバーフレンジ１３に回動自在に支持されるとともに、レール連結部１２ｂは、そのねじ取付孔１２ｃに通したねじ２７によって、リフティングレール１０の上面にねじ止めされている。また、リフティングレバー１２のレール連結部１２ｂには、リフティングレバーフレンジ１３を固定しているねじ１４に対応する位置に、ドライバー挿入孔１２ｄが形成されていて、このドライバー挿入孔１２ｄにドライバーＤを前方から通し、ねじ１４を回転操作できるようになっている。
【００２２】
以上の構成のダンパー１の、鍵盤の押鍵およびダンパーペダルの踏込みに伴う動作は、従来のダンパー５１と基本的に同じである。すなわち、鍵盤が押鍵されると、その後端部でダンパーレバー３が突き上げられ、上方に回動するのに伴い、ダンパーヘッド９が上方に移動し、弦Ｓから離れる。その後、所定のタイミングでハンマー（図示せず）が弦Ｓを打弦することにより、弦Ｓが振動し、ピアノ音が発生する。また、鍵盤が離鍵されると、ダンパーレバー３が下方に復帰回動するのに伴い、ダンパーヘッド９が下方に移動し、弦Ｓに当接することで、ダンパーレバー３やダンパーヘッド９などの重さにより弦Ｓの振動が停止され、発音が停止（止音）される。
【００２３】
一方、ダンパーペダルが踏込み操作されると、リフティングレール１０が、リフティングレール突揚棒１１により突き上げられることで、リフティングレバーフレンジ１３を中心として、リフティングレバー１２と一体に上方に回動し、パイロットスクリュー２６を介してすべてのダンパーレバー３を同時に突き上げ、上方に回動させる。これにより、すべてのダンパーヘッド９が弦Ｓから一斉に離れ、すべての弦Ｓを解放することによって、ダンパーペダル効果が得られる。ダンパーペダルの踏込み操作が終了すると、リフティングレール１０が自重で下方に復帰回動し、それに伴い、各ダンパーレバー３が下方に回動することで、すべてのダンパーヘッド４が弦Ｓに当接するようになり、もとの状態に復帰する。
【００２４】
また、リフティングレール１０、リフティングレバー１２あるいはリフティングレバーフレンジ１３が例えば破損したために、そのメンテナンスを行う場合には、これらは次のようにして取り外される。すなわち、図１に示すように、ドライバーＤをリフティングレバー１２のドライバー挿入孔１２ｄに通し、ドライバーＤでねじ１４を緩めることによって、リフティングレバーフレンジ１３をリフティングレバー１２およびリフティングレール１０と一緒に、ダンパーレール２から取り外すことができる。この取外し後、必要であれば、ねじ２７を緩めることなどによって、リフティングレール１０、リフティングレバー１２およびリフティングレバーフレンジ１３を相互にさらに分解する。必要な修理などを終えた後、リフティングレバーフレンジ１３などを再取付する場合には、これを上記と逆の手順で行うことができる。
【００２５】
以上のように、本実施形態のダンパー１は、リフティングレール１０、リフティングレバー１２あるいはリフティングレバーフレンジ１３を、ダンパー１の他の構成部品とは独立して取り外し、再取付することができるので、従来と異なり、煩雑なダンパーワイヤ８の取外し、再取付および調整の作業がまったく不要になることで、これらのメンテナンス作業を大幅に簡略化することができる。
【００２６】
図３は、本発明の第２実施形態によるリフティングレバーを示している。このリフティングレバー３２は、第１および第２レバー部３２ａ、３２ｂに２分割された構成になっている。第１レバー部３２ａにはねじ孔（図示せず）が、第２レバー部３２ｂにはねじ取付孔３２ｄが、それぞれ形成されていて、両レバー部３２ａ、３２ｂは、ねじ取付孔３２ｄに通され、ねじ孔にねじ込まれたねじ３３によって、互いに固定されている。この状態でのリフティングレバー３２の形状は、第１実施形態のリフティングレバー１２と同じであり、図示しないが、リフティングレバー３２は、第１レバー部３２ａの後端部が、リフティングレバーフレンジ１３に回動自在に支持されるとともに、第２レバー部３２ｂが、ねじ取付孔３２ｃに通したねじ２７によって、リフティングレール１０の上面にねじ止めされる。
【００２７】
したがって、この第２実施形態によれば、まず、ねじ３３を前方からのドライバーＤで緩めることで、リフティングレール１０および第２レバー部３２ｂを、第１レバー部３２ａとの間で分離し、取り外すことができる。したがって、メンテナンスの対象がリフティングレバー１０の場合には、このような取外しだけでメンテナンスを行える。また、この状態では、第２レバー部３２ｂが除去され、第１レバー部３２ａのみが残っていて、リフティングレバーフレンジ１３の前側が大きく開放される。したがって、メンテナンスの対象がリフティングレバーフレンジ１３の場合には、さらに、この大きく開放されたスペースを介して、ドライバーＤをリフティングレバーフレンジ１３のねじ１４に前方からアクセスし、これを緩めることによって、リフティングレバーフレンジ１３を第１レバー部３２ａと一緒に取り外すことができる。
【００２８】
以上のように、この第２実施形態によっても、第１実施形態と同様、リフティングレール１０、リフティングレバー３２あるいはリフティングレバーフレンジ１３を、ダンパー１の他の構成部品とは独立して取り外し、再取付することができるので、これらのメンテナンス作業を大幅に簡略化することができる。特に、メンテナンスの対象がリフティングレール１０の場合には、その取外しをリフティングレバーフレンジ１３を残した状態で行うことが可能であり、分解の対象を小さくして、分解をより容易に行えるという利点がある。
【００２９】
なお、本発明は、説明した実施形態に限定されることなく、種々の態様で実施することができる。例えば、実施形態では、リフティングレバーフレンジ１３を固定しているねじ１４にドライバーＤを前方からアクセス可能とするために、リフティングレール１２にドライバー挿入孔１２ｄを形成したり、リフティングレバー３２をドライバーＤにより分解可能な２分割構成にしたりしているが、これらに限らず、他の適当な構成を採用することが可能である。また、実施形態は、本発明をグランドピアノに適用した例であるが、本発明は、グランド型の消音ピアノなどに適用してもよいことは勿論である。その他、本発明の趣旨の範囲内で、細部の構成を適宜、変更することが可能である。
【００３０】
【発明の効果】
以上のように、本発明のグランドピアノのダンパーは、リフティングレバーフレンジ、リフティングレバーあるいはリフティングレールを、ダンパーの他の構成部品とは独立して取り外すことができ、それにより、これらのメンテナンス作業を大幅に簡略化することができるなどの効果を有する。
【図面の簡単な説明】
【図１】本発明の第１実施形態によるグランドピアノのダンパーを示す斜視図である。
【図２】図１のダンパーのリフティングレバーを示す斜視図である。
【図３】第２実施形態によるダンパーのリフティングレバーを示す斜視図である。
【図４】従来のグランドピアノのダンパーを示す部分斜視図である。
【符号の説明】
１    ダンパー
２    ダンパーレール
３    ダンパーレバー
１０    リフティングレール
１２    リフティングレバー
１２ｄ  ドライバー挿入孔
１３    リフティングレバーフレンジ
１４    ねじ
３２    リフティングレバー
３２ａ  第１レバー部
３２ｂ  第２レバー部
３３    ねじ
Ｄ    ドライバー
Ｓ    弦
【図１】
0003889204.tif 000002
【図２】
0003889204.tif 000003
【図３】
0003889204.tif 000004
【図４】
0003889204.tif 000005